(57)【要約】【課題】管理工数の削減を図ることができる前払式支払手段シートを提供する。【解決手段】前払式支払手段シート１００は、シート媒体１に、複数の前払式支払手段１１，１２を組合わせてなる所定の金額又は数量の前払式支払手段セット１０を設けて構成されている。発送の際、前払式支払手段１１，１２を切り離すことなく、前払式支払手段セット１０をそのまま発送することができる。このため、対価に応じた金額又は数量分の確認作業に係る管理工数の削減を図ることができる。【選択図】図１
0003206111.tif 000002
【実用新案登録請求の範囲】
【請求項１】
シート媒体に、複数の前払式支払手段を有する所定の金額又は数量の前払式支払手段セットを設けたことを特徴とする前払式支払手段シート。
【請求項２】
前記前払式支払手段セットは、複数種の前払式支払手段を組合わせてなることを特徴とする請求項１記載の前払式支払手段シート。
【請求項３】
前記シート媒体に、全体で固有の視覚対象を示す認知手段を設けたことを特徴とする請求項１又は２に記載の前払式支払手段シート。
【考案の詳細な説明】
【技術分野】
【０００１】
本考案は、商品券、ギフト券その他の前払式支払手段をシート状に形成した前払式支払手段シートに関するものである。
【背景技術】
【０００２】
従来のギフト券においては、券本体の表裏に、一面の大部分を占める模様と、発行元を示す発行元の記載事項と、引き換えの対象を示す対象の記載事項と、その券を特定するためのナンバーと、販売元を示す販売元の記載事項とが記載されたものがある。
【先行技術文献】
【特許文献】
【０００３】
【特許文献１】実開昭６０−１８２１８４号公報
【考案の概要】
【考案が解決しようとする課題】
【０００４】
ところが、この従来構成においては、発送の際、予め準備した封筒や収納箱に、対価に応じた金額又は数量分のギフト券を入れる作業や、その確認作業に大層手間がかかるという問題があった。このため、発行者側の管理工数が増大していた。
【０００５】
本考案は、上記のような従来技術に存在する問題点に着目してなされたものである。その目的とするところは、管理工数の削減を図ることができる前払式支払手段シートを提供することにある。
【課題を解決するための手段】
【０００６】
上記目的を達成するために、本考案の前払式支払手段シートでは、シート媒体に、複数の前払式支払手段を有する所定の金額又は数量の前払式支払手段セットを設けたことことを特徴としている。
【０００７】
ここで、前払式支払手段とは、次に掲げるものをいう。
一  前払式支払手段とは、証票、電子機器その他の物（以下、「証票等」という。）に記載され、又は電磁的方法により記録される金額に応ずる対価を得て発行される証票等又は番号、記号その他の符号であって、その発行する者又は当該発行する者が指定する者（以下、「発行者等」という。）から物品を購入し、若しくは借り受け、又は役務の提供を受ける場合に、これらの代価の弁済のために提示、交付、通知その他の方法により使用することができるものをいう。
【０００８】
二  また、前払式支払手段とは、証票等に記載され、又は電磁的方法により記録される物品又は役務の数量に応ずる対価を得て発行される証票等又は番号、記号その他の符号であって、発行者等に対して、提示、交付、通知その他の方法により、当該物品の給付又は当該役務の提供を請求することができるものをいう。
【０００９】
前払式支払手段は、たとえば、商品券、ギフト券、おもちゃ券、お米券、遊戯カード、テレホンカード、ギフトカード、ネット上で使用できるプリカ、ビール券、清酒券、清涼飲料ボトル券、カタログギフト券、乗車券、乗船券、航空券、美術館等の入場券、社員食堂等の食券が挙げられる。
【００１０】
この前払式支払手段を複数有する前払式支払手段セットを、シート媒体に設け、所定の金額又は数量のものとしたので、発送の際、前払式支払手段シートをそのまま発送することができる。
【００１１】
また、本考案の前払式支払手段シートにおいて、前記前払式支払手段セットは、複数種の前払式支払手段を組合わせてなることを特徴としている。
【００１２】
さらに、本考案の前払式支払手段シートにおいて、前記シート媒体に、全体で固有の視覚対象を示す認知手段を設けたことを特徴としている。
【００１３】
ここで、認知手段は、たとえば、図柄、絵柄、絵画、デザイン画、ＣＧ、写真、イラスト、図形、記号、立体的形状若しくは色彩又はこれらの結合が挙げられる。認知手段は、前記前払式支払手段セットとともにシート媒体に設けられているので、その視覚対象の面積が広く、インパクトがある。また、認知手段は固有のものであるので、独自性を奏する。
【００１４】
前記前払式支払セットに発行の日から所定の使用期限又は使用期間を設けるための使用期間表示部を設けてもよい。この場合には、物品販売業者若しくは役務提供者側の事務処理上の都合から発行され、購入から利用まで短期間である前払式支払手段シートであって、前払若しくは与信的な性格が比較的低いものや、利用者の与信リスクが比較的小さいものに好適である。これにより、発行者等の煩雑な管理工数を削減でき、短期間で前払式支払手段シートを提供できる。
【考案の効果】
【００１５】
本考案の請求項１記載の前払式支払手段シートによれば、上記のように構成されているため、管理工数の削減を図ることができるという効果を奏する。
【００１６】
請求項２記載の前払式支払手段シートによれば、上記のように構成されているので、請求項１記載の前払式支払手段シートの奏する効果に加えて、複数種から構成される前払式支払手段シートを提供できるという効果を奏する。
【００１７】
請求項３記載の前払式支払手段シートによれば、上記のように構成されているので、請求項１又は２に記載の前払式支払手段シートの奏する効果に加えて、認知のためのＰＲ効果が強いという効果を奏する。
【図面の簡単な説明】
【００１８】
【図１】前払式支払手段シートを示す表面図
【図２】前払式支払手段シートを示す裏面図
【考案を実施するための形態】
【００１９】
（第１実施形態）
以下、本考案を具体化した第１実施形態を図１乃至２に基づいて説明する。
【００２０】
本実施形態では、紙１に前払式支払手段としての商品券を複数有する所定の金額の商品券シート１００を構成した。この商品券シート１００は、複数の商品券を組合わせてなる商品券セット１０と、この商品券セット全体に有する写真２０とを備えている。
【００２１】
図１に示すように、紙１の印刷可能領域全面に、商品券セット１０が印刷形成されている。商品券セット１０は、複数の商品券１１，１２として機能する６行×２列の支払手段領域に区分されている。この区分された支払手段領域に隙間なく縦横に商品券が配列印刷されていることによって一組の商品券セット１０が構成されている。
【００２２】
この商品券セット１０には、表面２に所定間隔を存して複数列の偽造防止ホログラム１３が形成されている。また、区分けされた支払手段領域の境界に表裏を通してミシン目１６が形成されている。これにより、商品券シート１００から商品券１１，１２を切り離して分離することが容易となる。
【００２３】
商品券セット１０は、各々同一の金額を示す複数の商品券１１，１１と、これとは異なる金額を示す単数の商品券１２との組合せで構成されている。商品券１１，１２に、使用期間を示す使用期間表示部１４と、発行番号１５とが印刷加工によって形成されている。なお、その他対応する商品券の金額や、発行者等が印刷されている。
【００２４】
また、紙１にその印刷可能領域全面に全体で固有の視覚対象を示す写真２０が印刷形成されている。写真２０は、発行者等が適宜指定することができるものであり、本実施形態の場合には、水中花火を撮影した写真がフルカラーで印刷形成されている。
【００２５】
図２に示すように、裏面３には引換店欄１７、発行者等の氏名、商号又は名称、使用期間、苦情又は相談に応ずる営業所等の所在地及び連絡先、商品券ご利用に際しての注意等その他の情報伝達部１８が印刷されている。
【００２６】
商品券セット１０は、複数の失効確認部１９を備えている。失効確認部１９は、裏面３において、ミシン目１６で区分された各支払手段領域の左上隅部に設けられており、破線からなる斜線を印刷加工することによって形成されている。
【００２７】
次に前述のように構成される第１実施形態の商品券シート１００の作成方法について説明する。まず、紙１の表面２に使用期間表示部１４を含む商品券セット１０と写真２０とをフルカラーで印刷する。紙１の裏面３には、表面２に対応させて商品券セット１０を単色で印刷する。
【００２８】
そして、紙１の表面２に偽造防止加工を施すことによって偽造防止ホログラム１３を形成する。また、表面２の所定位置に複数の発行番号１５を連続番号で印刷する。さらに、紙１の表裏を通してミシン目１６を形成することで商品券シート１００を作成する。
【００２９】
商品券シート１００の使用方法は、使用期間表示部１４の示す使用期間内に、使用の都度、必要金額分の商品券をミシン目１６で切り離して使う。これを受領した引受店では引受店欄１７に記入又は押印等し、失効確認部１９を切り落とす。
【００３０】
以上詳述した第１実施形態の商品券シート１００によれば、次のような効果が発揮される。
商品券セット１０は、複数の商品券１１，１２を有し、所定の合計金額を示す構成とされているので、発送の際に、商品券１１，１２を切り離すことなく、商品券セット１０をそのまま発送することができる。
【００３１】
また、商品券セット１０は、紙１に所望の金額の商品券が平面的に配列して設けられているので、発送の際、商品券シート１０を目視することで所望の商品券１１，１２が揃っているか否かの確認ができる。商品券１１，１２が分離していたり重ねられていたりすると、集めたり数えなおす作業・確認が発生するところ、上記構成とされているので、それを防止でき、効率的な作業で済む。よって、管理工数の削減を図ることができる。
【００３２】
また、プレミアム付き商品券の場合に、同金額からなる複数の商品券１１，１１と、異なる金額の商品券１２とを組合わせて構成することができる。この場合において、異なる金額の商品券の組合せの場合の員数管理を大幅に削減することができる。
【００３３】
さらに、商品券シート１００によれば、印刷可能領域全面に商品券セット１０を設けたので、その領域全面を商品券セット１０として使用できる。商品券シート１００内に商品券以外の領域が存在すると、使用の際に、商品券ではない領域を使用できるのはないかと勘違いされるおそれが生じる。本実施形態の商品券シート１００によれば、これを防止できる。
【００３４】
さらにまた、商品券セット１０に商品券１１，１２が隙間なく縦横に配列印刷されているので、他との領域の境界に余分な領域が存在せず、捨てる部分がないので、地球資源を有効活用できる。
【００３５】
紙１に写真２０が印刷形成されており、本実施形態の写真２０は、シート全体で所定の視覚対象を備えているので、個々の商品券に設けられている場合より認知対象の面積は広く、インパクトがある。
【００３６】
また、写真２０を適宜選択して設けることができる。上記実施形態では水中花火の写真２０が印刷されている。このように、希少価値のあるものであって、その地方又は発行者等に固有のものを設けた場合には、商品券としての独自性を発揮する。全面に形成されていることと相まって相乗効果が高い。使用期間毎に異なる写真を設けるようにしてもよい。
【００３７】
さらに、写真２０が商品券セット１０全面に形成され、全体で所定の視覚対象を構成しているので、個々の商品券は、それぞれ背景が異なり、異なったイメージを与えることができる。このような構成であるため、偽造防止にもなる。
【００３８】
さらにまた、商品券シート１００は、失効確認部１９を備えているので、商品券１１，１２を使用した際に、たとえば、失効確認部１９を鋏等によって切り離すことができる。これにより、失効確認部１９の有無によって未使用のものと使用済みのものとの混入防止の管理が容易となる。
【００３９】
（他の実施形態）
なお、第１実施形態を次のように変更して構成することもできる。
例えば、ギフト券シート、おもちゃ券シート、お米券シート、遊戯カードシート、テレホンカードシート、ギフトカードシート、ネット上で使用できるプリカシート、ビール券シート、清酒券シート、清涼飲料ボトル券シート、カタログギフト券シート、乗車券シート、乗船券シート、航空券シート、美術館等の入場券シート、社員食堂等の食券シートその他の券シートであってもよい。また、これらをプラスチックに設けてもよい。発行の日から所定の使用期限を設けたものであってもよい。
【００４０】
また、上記実施形態では、商品券セット１０は紙１の表裏に６行×２列に配列された商品券１１，１２の組合せで構成されているが、なんらこれに限定されるものではなく、他のＸ行×Ｙ列に配列されていてもよい。たとえば、１０行×１列であってもよいし、３行×４列に配列されていてもよい。
【００４１】
さらに、上記実施形態では、同金額の商品券１１，１１と、これとは異なる金額を示す異種の商品券１２との組合せの商品券セット１０を構成したが、なんらこの組合せのものに限定されるものではない。例えば、異種類の組合せからなるものであってもよいし、同数量のビール券と異数量のビール券の組合せであってもよい。また、所定の金額を示す商品券と、所定の数量を示すギフト券とを組合せた前払式支払手段セットであってもよい。
【００４２】
さらにまた、本実施形態では認知手段として写真２０を用いたが、何らこれに限定されるものではない。認知手段は、全体で固有の視覚対象を示すものであればよく、例えば、図柄、絵柄、絵画、デザイン画、ＣＧ、イラスト、図形、記号、立体的形状であってもよく、これらの結合であってもよい。
【符号の説明】
【００４３】
１．．．紙（シート媒体），２．．．表面，３．．．裏面，１０．．．商品券セット（前払式支払手段セット），１１．．．同種の商品券（前払式支払手段），１２．．．異種の商品券（前払式支払手段），１３．．．偽造防止ホログラム，１４．．．使用期間表示部，１５．．．発行番号，１６．．．ミシン目，１７．．．引換店欄，１８．．．情報伝達部，１９．．．失効確認部，２０．．．写真（認知手段），１００．．．商品券シート（前払式支払手段シート）
【図１】
0003206111.tif 000003
【図２】
0003206111.tif 000004